(57)【特許請求の範囲】
【請求項１】
それぞれに一斉呼出ボタン、個別呼出ボタンを備えた親機と複数の副親機とを、通話／制御線で接続して構成された２線式多局型インターホンシステムにおいて、
上記親機は、
通話／制御線の電圧レベルを検出する電圧検出手段と、通話切替スイッチ、通話のためのマイク、スピーカ、ゲインを可変制御可能な受話アンプを設けた送受話回路と、制御信号送受信回路と、信号処理部とを備えるとともに、電圧検出手段、送受話回路、制御信号送受信回路は、上記通話／制御線に並列に接続されており、
上記副親機の各々は、
通話切替スイッチ、通話のためのマイク、スピーカ、ゲインを可変制御可能な受話アンプを設けた送受話回路と、制御信号送受信回路と、信号処理部とを備えるとともに、それぞれの送受話回路と制御信号送受信回路は、上記通話／制御線に並列に接続されており、
上記親機では、上記電圧検出手段によって通話／制御線の電圧レベルを検出して、上記副親機の各々に対して、検出した電圧レベルに応じたゲイン可変制御設定信号を送出し、一斉呼出時における受話アンプのゲインを予め設定し、
上記制御信号送受信回路は、
上記一斉呼出ボタンが操作されると、一斉呼出信号を上記通話／制御線に送出して、上記親機、副親機それぞれの受話アンプのゲインを一斉呼出時のものにする一方、
上記個別呼出ボタンが操作されると、内線番号を含んだ個別呼出信号を上記通話／制御線に送出して、その内線番号の上記親機、又は副親機を呼び出す構成としている２線式多局型インターホンシステム。
【請求項２】
請求項１において、
上記親機は、
電圧設定抵抗を介して直流電源を通話／制御線に供給しており、
上記副親機の各々は、負荷抵抗を介して、通話／制御線に並列に接続されて、分圧回路を構成している２線式多局型インターホンシステム。
【請求項３】
請求項１又は請求項２において、
上記親機は、
システムの電源が投入されたときに上記電圧検出手段によって通話／制御線の電圧レベルを検出して、すべての副親機に対して、検出した電圧レベルに応じたゲイン可変制御設定信号を送出し、一斉呼出時における受話アンプのゲインを予め設定する構成としている２線式多局型インターホンシステム。
【請求項４】
請求項１〜請求項３のいずれかにおいて、
上記親機、副親機の送受話回路は、
マイクによって変換された音声信号のレベルと、スピーカに入力される音声信号のレベルとの大小を比較し、レベルの小さい方の音声信号の受け入れを禁止する音声スイッチ回路を、更に備えた構成としている２線式多局型インターホンシステム。
【請求項５】
それぞれに一斉呼出ボタン、個別呼出ボタンを備えた親機と複数の副親機とを、通話／制御線で接続して構成された２線式多局型インターホンシステムにおいて、
上記親機、副親機の各々は、
通話／制御線の電圧レベルを検出する電圧検出手段と、通話切替スイッチ、通話のためのマイク、スピーカ、ゲインを可変制御可能な受話アンプを設けた送受話回路と、制御信号送受信回路と、信号処理部とを備え、かつ、
それぞれの電圧検出手段、送受話回路、制御信号送受信回路は、上記通話／制御線に並列に接続した構成としており、
親機、副親機のいずれかより一斉呼出を受けた副親機、親機側では、
それぞれの電圧検出手段が検出した電圧レベルに応じて、受話アンプのゲインを設定し、
上記制御信号送受信回路は、
上記一斉呼出ボタンが操作されると、一斉呼出信号を上記通話／制御線に送出して、上記親機、副親機それぞれの受話アンプのゲインを一斉呼出時のものにする一方、
上記個別呼出ボタンが操作されると、内線番号を含んだ個別呼出信号を上記通話／制御線に送出して、その内線番号の上記親機、又は副親機を呼び出す構成としている２線式多局型インターホンシステム。
【請求項６】
請求項５において、
上記親機は、
電圧設定抵抗を介して直流電源を通話／制御線に供給しており、
上記副親機の各々は、
負荷抵抗を介して、通話／制御線に並列に接続されて、分圧回路を構成している２線式多局型インターホンシステム。
【請求項７】
請求項５又は請求項６において、
上記親機、副親機の少なくとも１つは、
更に表示手段を備え、上記信号処理部は、
上記電圧検出手段によって検出した電圧レベルを判別して、上記表示手段に、システムに接続されている副親機の接続台数を表示する構成としている２線式多局型インターホンシステム。
【請求項８】
請求項７において、
上記表示手段を設けた親機、副親機の少なくとも１つは、
更にアラーム手段を備えており、
上記信号処理部は、
上記電圧検出手段によって検出した通話／制御線の電圧レベルを、通話最低レベルと比較判別し、その電圧レベルが通話最低レベルより低下したときには、上記アラーム手段を作動して、それ以上の副親機の接続付加が不可能なことを報知する構成としている２線式多局型インターホンシステム。
【請求項９】
請求項５〜請求項８のいずれかにおいて、
上記親機、副親機の送受話回路は、
マイクによって変換された音声信号のレベルと、スピーカに入力される音声信号のレベルとの大小を比較し、レベルの小さい方の音声信号の受け入れを禁止する音声スイッチ回路を、更に備えた構成としている２線式多局型インターホンシステム。
【発明の詳細な説明】
【０００１】
【発明の属する技術分野】
本発明は、親機と複数の副親機との内線通話を可能とする２線式多局型インターホンシステムに関する。
【０００２】
【従来の技術】
従来から、住戸内に親機と複数の副親機とを設置して、住戸外の子器（ドアホン子器）と、各親機（副親機を含む）との通話を可能にした２線式多局型インターホンシステムが普及しており、このシステムでは、子器と親機間の通話の他に、各親機間の内線通話も可能にしている。
【０００３】
図５は、この種のインターホンシステムの構成を示した図である。
図５（ａ）に示すように、親機１は、子器３の他に、複数の副親機２を、通話線と制御線が共通になっている２線式の信号線Ｌ（以下、「通話／制御線」という）を介して接続している。
親機１、各副親機２は、他の副親機２、親機１のいずれか１つを、個別呼出ボタンの操作により指定する１対１の内線通話以外に、同図（ｂ）に示したような、一斉呼出ボタンを操作して、他の親機２，１のすべてを一斉に呼び出すこともできるようになっている。この例では、住戸人Ｍ１が副親機２（＃１）から一斉呼出を行い、これに対して住戸人Ｍ２が副親機２（＃３）から応答しており、他の副親機２（＃２）では、このときの通話が聞こえるようになっている。なお、各親機１，２では、ハンズフリー通話（拡声通話）によって、一斉呼出後の一定時間は、何等操作を行わずに応答ができるようになっている。
【０００４】
【発明が解決しようとする課題】
ところが、上記従来の２線式多局型インターホンシステムでは、一斉呼出での通話時に以下のような問題があった。
図６は、この問題を説明するための模式図であり、図６（ａ）は個別呼出による１対１の内線通話の場合を示している。この場合は、各親機１，２のスイッチ回路ＳＷにより、通話する２台の親機（図では、親機１と副親機２（＃２））のみが通話／制御線Ｌに接続され、他の親機（図では、副親機２（＃１））は接続されないため、通話する双方の送受話回路の入出力インピーダンスは、整合が図られている。
【０００５】
しかし、同図（ｂ）に示すように、一斉通話が行われるときには、すべての親機１，２が、通話／制御線Ｌに接続されるため、送話側からみたインピーダンスは、接続台数が多くなるに従って低下して、音声信号のレベルが減衰し、通話音量が低下していた。
このような問題を解決するために、図７に示すようなシステムが提案されており、このシステムでは、一斉呼出機能を呼掛けのみを可能とし、双方向通話はできないようにしている。
【０００６】
各親機１，２には、送受話回路とは別に、受話専用の回路を設けており（ここでは、副親機２（＃１）にのみ、マイクＭＩとスピーカＳＰを示す）、この受話専用回路のインピーダンスを送受話回路のインピーダンスよりも高インピーダンス（図では、前者が後者の５０倍）にすることにより、接続台数の増加による音量レベルの変化を小さく抑えるようにしている。ところが、この場合、各親機１，２に新たな回路（受話専用回路）を設けなければならず、システムのコストアップの要因になっていた。
【０００７】
また、このような回路を備えなくても、施工時などに、副親機２の接続台数に応じた減衰量分、送話側あるいは受話側のアンプのゲインを、引き上げるように設定することも可能であるが、このために設定スイッチなどを設ける必要があることには変わりはなく、その設定作業が必要であった。したがって、現実的には、一斉通話機能を備えるのは、副親機の接続台数が少ないシステムに限られていた。
【０００８】
本発明はこのような事情に鑑みてなされたものであり、副親機の接続台数に応じて、一斉通話時の親機、各副親機の受話アンプのゲインを自動的に設定し、一斉通話時に音量レベルが低下しないようにした２線式多局型インターホンシステムを提供することを目的としている。
【０００９】
【課題を解決するための手段】
上記目的を達成するために提案する請求項１〜４に記載の２線式多局型インターホンシステムでは、親機が各副親機に一斉呼出時の受話アンプのゲインを設定するようになっている。
請求項１では、親機は、通話／制御線の電圧レベルを検出する電圧検出手段と、通話切替スイッチ、通話のためのマイク、スピーカ、ゲインを可変制御可能な受話アンプを設けた送受話回路と、制御信号送受信回路と、信号処理部とを備えるとともに、電圧検出手段、送受話回路、制御信号送受信回路は、通話／制御線に並列に接続されており、副親機の各々は、通話切替スイッチ、通話のためのマイク、スピーカ、ゲインを可変制御可能な受話アンプを設けた送受話回路と、制御信号送受信回路と、信号処理部とを備えるとともに、それぞれの送受話回路と制御信号送受信回路は、通話／制御線に並列に接続されている。
【００１０】
この構成において、親機は、電圧検出手段によって通話／制御線の電圧レベルを検出して、副親機の各々に対して、検出した電圧レベルに応じたゲイン可変制御設定信号を送出し、一斉呼出時における受話アンプのゲインを予め設定し、上記制御信号送受信回路は、上記一斉呼出ボタンが操作されると、一斉呼出信号を上記通話／制御線に送出して、上記親機、副親機それぞれの受話アンプのゲインを一斉呼出時のものにする一方、上記個別呼出ボタンが操作されると、内線番号を含んだ個別呼出信号を上記通話／制御線に送出して、その内線番号の上記親機、又は副親機を呼び出す。したがって、各副親機は、一斉呼出を受けたときに、受話アンプのゲインを制御できるので、一斉通話時の音量レベルが低下することはない。
【００１１】
請求項２では、請求項１において、親機は、電圧設定抵抗を介して直流電源を通話／制御線に供給しており、副親機の各々は、負荷抵抗を介して、通話／制御線に並列に接続されて、分圧回路を構成している。
すなわち、親機の電圧設定抵抗と、各副親機の負荷抵抗の並列合成抵抗とによって分圧回路を構成しているので、副親機の接続台数が増加すれば、通話／制御線の電圧は減少する。これによって、親機は、電圧検出手段が検出する電圧レベルによって副親機の接続台数を判断し、各副親機に一斉呼出時の受話アンプのゲインを設定することができる。
【００１２】
請求項３では、請求項１又は請求項２において、親機は、システムの電源が投入されたときに電圧検出手段によって通話／制御線の電圧レベルを検出して、すべての副親機に対して、検出した電圧レベルに応じたゲイン可変制御設定信号を送出し、一斉呼出時における受話アンプのゲインを予め設定する。
請求項４では、請求項１〜請求項３のいずれかにおいて、親機、副親機の送受話回路は、マイクによって変換された音声信号のレベルと、スピーカに入力される音声信号のレベルとの大小を比較し、レベルの小さい方の音声信号の受け入れを禁止する音声スイッチ回路を、更に備えた構成としている。これによって、ハンズフリー通話（拡声通話）時におけるハウリングが防止できる。
【００１３】
請求項５〜９に記載の２線式多局型インターホンシステムでは、親機、副親機の各々が、一斉呼出時の受話アンプのゲインを設定するようになっている。請求項５では、親機、副親機の各々は、通話／制御線の電圧レベルを検出する電圧検出手段と、通話切替スイッチ、通話のためのマイク、スピーカ、ゲインを可変制御可能な受話アンプを設けた送受話回路と、制御信号送受信回路と、信号処理部とを備え、かつ、それぞれの電圧検出手段、送受話回路、制御信号送受信回路は、通話／制御線に並列に接続している。親機、副親機のいずれかより一斉呼出を受けた副親機、親機側は、それぞれの電圧検出手段が検出した電圧レベルに応じて、受話アンプのゲインを設定し、上記制御信号送受信回路は、上記一斉呼出ボタンが操作されると、一斉呼出信号を上記通話／制御線に送出して、上記親機、副親機それぞれの受話アンプのゲインを一斉呼出時のものにする一方、上記個別呼出ボタンが操作されると、内線番号を含んだ個別呼出信号を上記通話／制御線に送出して、その内線番号の上記親機、又は副親機を呼び出す。
【００１４】
請求項６では、請求項５において、親機は、電圧設定抵抗を介して直流電源を通話／制御線に供給しており、副親機の各々は、負荷抵抗を介して、通話／制御線に並列に接続されて、分圧回路を構成している。
請求項７では、請求項５又は請求項６において、親機、副親機の少なくとも１つは、更に表示手段を備え、信号処理部は、電圧検出手段によって検出した電圧レベルを判別して、表示手段に、システムに接続されている副親機の接続台数を表示する構成としている。
【００１５】
請求項８では、請求項７において、表示手段を設けた親機、副親機の少なくとも１つは、更にアラーム手段を備えており、信号処理部は、電圧検出手段によって検出した通話／制御線の電圧レベルを、通話最低レベルと比較判別し、その電圧レベルが通話最低レベルより低下したときには、アラーム手段を作動して、それ以上の副親機の接続付加が不可能なことを報知する構成としている。
【００１６】
請求項９では、請求項５〜請求項８のいずれかにおいて、親機、副親機の送受話回路は、マイクによって変換された音声信号のレベルと、スピーカに入力される音声信号のレベルとの大小を比較し、レベルの小さい方の音声信号の受け入れを禁止する音声スイッチ回路を、更に備えた構成としている。
【００１９】
【発明の実施の形態】
以下に、本発明の実施の形態について図面とともに説明する。
図１は、本発明の請求項１〜４に記載の２線式多局型インターホンシステムの構成を示したブロック図である。
このインターホンシステムは、親機１と、複数の副親機２（図では２台）とを、２線式の通話／制御線Ｌで接続して構成されている。
【００２０】
親機１は、ＣＰＵ等で構成され、以下の各部を制御する信号処理部１０と、各副親機２との一斉通話あるいは個別通話を行うための送受話回路１１と、呼出信号などの制御信号の送受を制御する制御信号送受信回路１２と、通話／制御線Ｌの電圧レベルを検出する電圧検出手段であるＡ／Ｄコンバータ１３と、一斉呼出時に操作する一斉呼出ボタンｂ１０と、いずれかの副親機２の個別呼出時に操作する個別呼出ボタンｂ１１とを備え、Ａ／Ｄコンバータ１３と送受話回路１１と制御信号送受信回路１２は、通話／制御線Ｌに並列に接続されている。
【００２１】
また、送受話回路１１は、通話切替スイッチｓｗ１と、通話のためのマイクｍｉ１及び送話アンプａ１１、スピーカｓｐ１及びゲインを可変制御可能な受話アンプａ１０と、ハンズフリー通話を実現するための音声スイッチ回路１１ａと、通話／制御線Ｌを通じた双方向同時通話を行うための２線４線変換回路１１ｂとを備える。なお、図中のＣ１０，Ｃ１１は、信号から直流成分を除いて音声信号のみを通過させる直流阻止用コンデンサである。
【００２２】
一方の副親機２の各々は、親機１と同様の構成になっており、信号処理部２０と、親機１又は他の副親機２との一斉通話あるいは個別通話を行うための送受話回路２１と、呼出信号などの制御信号の送受を制御する制御信号送受信回路２２と、一斉呼出時に操作する一斉呼出ボタンｂ２０と、親機１又は他の１台の副親機２に対する個別呼出時に操作する個別呼出ボタンｂ２１とを備え、送受話回路２１と制御信号送受信回路２２は、通話／制御線Ｌに並列に接続されている。
【００２３】
また、送受話回路２１は、通話切替スイッチｓｗ２と、通話のためのマイクｍｉ２及び送話アンプａ２１、スピーカｓｐ２及びゲインを可変制御可能な受話アンプａ２０と、音声スイッチ回路２１ａと、２線４線変換回路２１ｂとを備える。なお、図中のＣ２０，Ｃ２１は直流阻止用コンデンサである。
このような構成において、親機１は、通話／制御線Ｌの電圧Ｖを検出し、この電圧ＶをＡ／Ｄコンバータ１３でデジタル信号に変換して、この信号レベルにより通話／制御線Ｌに接続している副親機２の台数を判断する。そして、これを基に、施工時、通話直前、定期的などの任意の時期に、制御信号送受信回路１２から副親機２の各々に対し、接続台数の増加に従ってゲインが大きくなるようにゲイン可変制御設定信号を送出し、一斉呼出時における受話アンプａ２０のゲインを設定する。これによって、親機１及び各副親機２は、一斉呼出を受けたときに、受話アンプａ１０，ａ２０のゲインを制御できるので、一斉通話時の音量レベルの低下が防げる。なお、親機１から各副親機２に、接続台数を示す信号を送信するようにして、各副親機２側で、一斉通話時の受話アンプａ２０のゲインを設定してもよい。
【００２４】
このようにして、このシステムでは、親機１で副親機２の接続台数を判断するため、親機１には、電圧設定抵抗Ｒ１を介して直流電源を通話／制御線Ｌに供給しており、一方の副親機２の各々は、負荷抵抗Ｒ２を介して、通話／制御線Ｌに並列に接続されて、分圧回路を構成している。すなわち、親機１の電圧設定抵抗Ｒ１と、各副親機２の負荷抵抗Ｒ２の並列合成抵抗とによって分圧回路を構成する。これによって、副親機２の接続台数が増加すれば、通話／制御線Ｌの電圧Ｖは減少するので、親機１は、検出する電圧レベルによって副親機２の接続台数を判断できる。
【００２５】
親機１及び副親機２の信号処理部１０，２０は、副親機２の接続台数に応じて、選択すべきゲイン可変制御信号を記憶させたテーブルなどを設けており、一斉呼出を受けたときに、信号処理部１０，２０から受話アンプａ１０，ａ２０に、ゲイン可変制御信号を選択し設定する。これによって、親機１及び副親機２側でのゲインの選択設定操作は不要となる。
【００２６】
次に、個別呼出、一斉呼出の各動作について説明する。個別呼出ボタンｂ１１，ｂ２１が操作されると内線番号を含んだ個別呼出信号が、一斉呼出ボタンｂ１０，ｂ２０が操作されると一斉呼出信号が、音声信号に影響を与えない高周波信号（キャリア）を変調して、通話／制御線Ｌに送出される。
この呼出信号を親機１、各副親機２の制御信号送受信回路１２，２２が受け、自己の内線番号を検出すると、信号処理部１０，２０は、通話切替スイッチｓｗ１，ｓｗ２を閉じて、送受話回路１１，２１を通話／制御線Ｌに接続する。
【００２７】
個別呼出時は、呼出側（呼出元）の親機１又は副親機２の送受話回路１１，２１と、被呼出側の親機１、副親機２の送受話回路１１，２１とが、１対１で通話／制御線Ｌに接続されるので、音声信号に対するインピーダンス整合が図れており、音声信号のレベルが減衰することはない。
また、一斉呼出時は、呼出側の親機１又は副親機の送受話回路１１，２１に対して、被呼出側では、すべての副親機２と親機１の送受話回路２１，１１が、通話／制御線Ｌに接続されるので、音声信号に対する送受話回路２１，１１の合成入力インピーダンスが低下し、音声信号のレベルが減衰してしまうが、予め、親機１から各副親機２に対して、一斉呼出を受けたときに受話アンプａ１０，ａ２０に出力すべきゲイン可変制御信号を設定しているので、インピーダンス整合が図れる。
【００２８】
なお、抵抗Ｒ１，Ｒ２の各々は、通話切替スイッチｓｗ１，ｓｗ２が閉じられ、各送受話回路１１，２１に並列に接続されたときでも、その合成抵抗が送受話回路１１，２１の入力インピーダンスに殆ど影響を与えず、そのインピーダンスに等しい値になるように、各送受話回路１１，２１（２線４線変換回路１１ｂ，２１ｂ）のインピーダンスに比べて、著しく大きい値に設定されている。
【００２９】
なお、親機１から各副親機２への一斉呼出時における受話アンプａ２０のゲインの設定は、施工時などのシステムの電源投入時や定期的に、通話／制御線Ｌの電圧レベルを検出して行うようにすればよい。これによって、いちいち操作を行わなくても、自動的に上記ゲインの更新設定ができる。
また、音声スイッチ回路１１ａ，２１ａは、マイクｍｉ１，ｍｉ２によって変換された音声信号のレベルと、スピーカｓｐ１，ｓｐ２に入力される音声信号のレベルとの大小を比較し、レベルの小さい方の音声信号の受け入れを禁止する（図４とともに後述する）。これによって、ハンズフリー通話におけるハウリングが防止できる。
【００３０】
次に、請求項５〜９に記載の２線式多局型インターホンシステムの構成について、図２とともに説明する。
このシステムでは、親機１と副親機２の各々が、一斉呼出時の受話アンプａ１０，ａ２０のゲインを設定するようになっており、そのため、親機１以外に、副親機２の各々にも、通話／制御線Ｌの電圧レベルを検出する電圧検出手段としてＡ／Ｄコンバータ２３を備えている。他の構成は、図１と同じであるので、説明は省略する。なお、各副親機２は、親機１と同様、電圧検出手段２３と送受話回路２１と制御信号送受信回路２２を、通話／制御線Ｌに対して並列に接続している。
【００３１】
親機１、副親機２のいずれかより一斉呼出を受けた副親機２、親機１側では、それぞれが予め、電源投入時などに検出した電圧レベルに応じて、受話アンプａ１０，ａ２０のゲインを設定する。
親機１は電圧設定抵抗Ｒ１を介して直流電源を通話／制御線Ｌに供給し、副親機２の各々は、負荷抵抗Ｒ２を介して、通話／制御線Ｒ２に並列に接続されて、分圧回路を構成しているので、親機１、各副親機２は、検出した電圧レベルから通話／制御線Ｌへの接続台数が判別できる。
【００３２】
なお、親機１、各副親機２による受話アンプａ１０，ａ２０のゲインの可変制御は、一斉通話時には限定されず、通話する台数が変化するような場合に、通話動作の直前に通話／制御線Ｌの電圧レベルを検出して行うようにしてもよい。
また、図例では、親機１に、液晶画面や７セグメント表示器などで表示手段を構成する表示回路１４と、アラーム音やブザー音を鳴動させるアラーム回路１５とを備えている。なお、ここでは、これらは親機１に備えられているが、親機１と副親機２の少なくとも１台に備えればよく、また、表示回路１４とアラーム回路１５の両方を備える必要はなく、いずれか一方でもよい。
【００３３】
信号処理部１０は、検出した電圧レベルを判別して、表示回路１４によって、システムに接続されている副親機２の接続台数を表示する。また、信号処理部１０は、検出した通話／制御線Ｌの電圧レベルを、通話最低レベルと比較判別し、その電圧レベルが通話最低レベルより低下したときには、アラーム回路１５を作動して、それ以上の副親機２の接続付加が不可能なことを報知する。
【００３４】
なお、この構成でも、音声スイッチ回路１１ａ，２１ａは、マイクｍｉ１，ｍｉ２によって変換された音声信号のレベルと、スピーカｓｐ１，ｓｐ２に入力される音声信号のレベルとの大小を比較し、レベルの小さい方の音声信号の受け入れを禁止することによって、ハンズフリー通話におけるハウリングを防止している。
【００３５】
次に、参考例の２線式多局型インターホンシステムについて、図３，４とともに説明する。ここでは、ハンズフリー通話を実現する音声スイッチ回路に特徴を有している。親機１と副親機２の各々は、通話切替スイッチｓｗ１，ｓｗ２と、通話のためのマイクＭＩ１，ＭＩ２を有した送話回路６０，７０と、スピーカＳＰ１，ＳＰ２を有した受話回路６１，７１と、音声スイッチ回路５０と、一斉呼出ボタンｂ１０，ｂ２０、個別呼出ボタンｂ１１，ｂ２１が操作されたときに親機１、副親機２を指定した呼出信号を通話／制御線Ｌに出力するとともに、呼出信号を検出する制御信号送受信回路１２，２２と、信号処理部１０，２０とを備え、送話回路６０，７０と受話回路６１，７１と制御信号送受信回路１２，２２を、通話／制御線Ｌに並列に接続する。
【００３６】
また、音声スイッチ回路５０は、送話回路６０，７０と受話回路６１，７１とを並列に接続し、送話回路６０，７０側に常開型の制御接点ｓｗ１０，ｓｗ２０を設け、マイクＭＩ１，ＭＩ２から入力された音声信号のレベルが、スピーカＳＰ１，ＳＰ２に入力される音声信号のレベルより大きい場合に、制御接点ｓｗ１０，ｓｗ２０を閉じる構成としている。
【００３７】
この図では、親機１から、各副親機２を一斉呼出を行い、マイクＭＩ１を通じて音声で呼び掛けている状態を示している（親機１の制御接点ｓｗ１０が閉状態、副親機２の制御接点ｓｗ２０が開状態）。このとき、各副親機２では、制御信号送受信回路２２が一斉呼出信号を受信し、通話切替スイッチｓｗ２を閉じると同時に、スピーカＳＰ２のミュート手段（不図示）を解除して呼出音を鳴動させ受話を可能にする。この呼掛けに対して、副親機２側が音声で応答すれば、音声スイッチ回路５０によって制御接点ｓｗ２０が閉じられ送話が可能になる。
【００３８】
このように動作するため、音声スイッチ回路５０の内部構成は、図４に示すようになっており、検出回路５１が、マイクＭＩ１，ＭＩ２によって変換された音声信号のレベルと、スピーカＳＰ１，ＳＰ２に入力される音声信号のレベルを比較判別して、送話回路６０，７０、受話回路６１，７１のうち音声信号のレベルが大きい方のみを、通話／制御線Ｌに切替え接続する。そのため、送話側の制御接点ＳＴと受話側の制御接点ＳＲを、各々有しており、いずれか一方のみを閉じることによって、マイクＭＩ１，ＭＩ２とスピーカＳＰ１，ＳＰ２間でのハウリングを防いでいる。また、検出回路５１は、信号処理部１０，２０に対して、どちらの制御接点ＳＴ，ＳＲを閉じているのかを示す制御出力（ＴＸＣ）を行っているので、信号処理部１０，２０は。マイクＭＩ１，ＭＩ２から音声入力があり、送話側の制御接点ＳＴが閉じられたことを検出すれば、同時に制御接点ｓｗ１０，ｓｗ２０を閉じる。
【００３９】
受話回路６１，７１の入力インピーダンスは、送話回路６０，７０の出力インピーダンスよりも十分に大きい値に設定した構成になっており（例えば、各々、３０ｋΩと６００Ω）、一斉呼出があったときは、音声信号に対して高インピーダンスの受話回路６１，７１のみを通話／制御線Ｌに接続する。
すなわち、常時は、インピーダンスの高い受話回路６１，７１が、通話／制御線Ｌに接続されており、送話時にのみ、インピーダンスの低い送話回路６０，７０が並列に加わって通話／制御線Ｌに接続される。これによって、副親機２の接続台数が増えたとしても、音声信号のレベルの減衰を抑えることができ、Ｓ／Ｎ比も低下しない。この例では、副親機２の接続台数が１〜５台の間で変化しても、音声信号のレベル変化は、１ｄＢ以内で収まることになるので、一斉通話時の音量は殆ど変化しない（図７を参照）。
【００４０】
【発明の効果】
以上の説明から理解されるように、本発明の請求項１〜請求項４に記載の２線式多局型インターホンシステムは、親機が、通話／制御線の電圧レベルを検出して副親機の接続台数を判別し、副親機の各々に対して、一斉呼出時における受話アンプのゲインを設定する。これによって、各副親機は、一斉呼出を受けたときに、受話アンプのゲインを制御できるので、一斉通話時の音量レベルが低下することはない。また、各副親機側には、電圧検出手段を備える必要がないので、コストアップを抑えることが出来る。
【００４１】
特に、請求項３では、親機はシステムの電源が投入されたときに、すべての副親機に対して、一斉呼出時における受話アンプのゲインを設定するので、特別な操作を必要とせず、自動的に一斉通話時の音量レベルの保証ができる。また、請求項４では、音声スイッチ回路によって、ハンズフリー通話におけるハウリングが防止できる。
【００４２】
請求項５〜９に記載の２線式多局型インターホンシステムは、親機と副親機の各々が、通話／制御線の電圧レベルを検出して副親機の接続台数を判別し、一斉呼出時における受話アンプのゲインを自動的に設定する。これによって、親機、各副親機は、一斉呼出を受けたときに、受話アンプのゲインを制御して、一斉通話時の音量レベルの低下を防ぐことが出来る。
【００４３】
特に、請求項７では、親機、副親機は、システムに接続されている副親機の接続台数を表示するので、システム構成が容易に分かる。また、請求項８では、現在接続している台数以上の副親機の接続付加が不可能なことが報知されるので、新たに副親機を接続した後、一斉通話ができなくなることを未然に防止できる。更に、請求項９では、音声スイッチ回路によって、ハンズフリー通話におけるハウリングが防止できる。
【図面の簡単な説明】
【図１】本発明の２線式多局型インターホンシステムの構成を示したブロック図である（請求項１〜４）。
【図２】本発明の２線式多局型インターホンシステムの構成を示したブロック図である（請求項５〜９）。
【図３】参考例の２線式多局型インターホンシステムの構成を示したブロック図である。
【図４】音声スイッチ回路の内部構成を示したブロック図である。
【図５】２線式多局型インターホンシステムの構成を示した図である。
【図６】従来の２線式多局型インターホンシステムの問題を説明するための模式図である。
【図７】従来の２線式多局型インターホンシステムの問題を説明するための模式図である。
【図１】
0003617284.tif 000002
【図２】
0003617284.tif 000003
【図３】
0003617284.tif 000004
【図４】
0003617284.tif 000005
【図５】
0003617284.tif 000006
【図６】
0003617284.tif 000007
【図７】
0003617284.tif 000008